(57)【要約】【課題】２つの筐体をスライド可能にユニット化したものでありながら、その２つの筐体のトータル肉厚を見掛け上で１つの筐体の肉厚にすることができ、ユニット筐体全体の薄型化を実現することができる携帯電話機を得ることにある。【解決手段】第１および第２の筐体１，１０をスライド可能に組み付けて成る携帯電話機において、第１の筐体１に第２の筐体１０を引き出し可能に収納する筐体スライド空間部６を区画形成し、この筐体スライド空間部６の両側部には第２の筐体１０の幅方向両端部をスライド可能に抱え込んで当該筐体１０を筐体スライド空間部６への収納位置と当該筐体スライド空間部６からの引き出し位置とにガイドする左右一対のスライドガイド手段１ｂを設けたものである。【選択図】図１
2007142763.tif 000002
【特許請求の範囲】
【請求項１】
表面に情報表示画面を有する第１の筐体と、表面に操作キーが実装された第２の筐体とをスライド可能に組み付けて成る携帯電話機において、前記第１の筐体の内部に前記第２の筐体を引き出し可能に収納するための筐体スライド空間部を区画形成し、この筐体スライド空間部の両側部には前記第２の筐体の幅方向両端部をスライド可能に抱え込んで当該第２の筐体を前記筐体スライド空間部への収納位置と当該筐体スライド空間部からの引き出し位置とにガイドする左右一対のスライドガイド手段を設け、このスライドガイド手段を介して前記筐体スライド空間部に前記第２の筐体をスライド可能に挿入保持させたことを特徴とする携帯電話機。
【請求項２】
スライドガイド手段は、第１の筐体における筐体スライド空間部の両側壁部下端に相対方向へ屈曲形成された左右の内向きフランジからなり、これらの内向きフランジによって第２の筐体の幅方向両端部がスライド可能に抱え込まれていることを特徴とする請求項１記載の携帯電話機。
【請求項３】
スライドガイド手段は、第１の筐体における筐体スライド空間部の両側壁部下端に内方へ折り返し形成され、第２の筐体の幅方向両側部下面に形成されたガイド溝をスライド可能に嵌合させる上向き突条部からなっていることを特徴とする請求項１記載の携帯電話機。
【請求項４】
スライドガイド手段は、第１の筐体における筐体スライド空間部の両側壁部内側に配置された断面蟻溝形状のガイドレールからなり、このガイドレールの内部に、第２の筐体の幅方向両端部に突設されたガイド突条がスライド可能に嵌合されていることを特徴とする請求項１記載の携帯電話機。
【請求項５】
第１及び第２の筐体のそれぞれには回路基板が搭載され、それらの回路基板には、第２の筐体の引き出し位置でのみ電気的に接続される接点コネクタが実装されていることを特徴とする請求項１から請求項４のうちのいずれか１項記載の携帯電話機。
【発明の詳細な説明】
【技術分野】
【０００１】
この発明は、スライド式の携帯電話機に関するものである。
【背景技術】
【０００２】
従来のスライド式の携帯電話機は、情報表示画面を有する第１の筐体と、操作キーが実装された第２の筐体とを、それらの両筐体間にスライドガイド手段を介在させて重ね合わせ状態にユニット化した組み付け構成となっている（例えば、特許文献１参照）。ここで、前記スライドガイド手段は、前記第１の筐体の裏面（下面）両側に突設されて前後方向に延びる溝レールと、前記第２の筐体の表面（上面）両側に突設されて前記溝レールにスライド可能に嵌合されたガイド突条とから構成されている。また、前記第１の筐体と前記第２の筐体との信号の送受信にはフレキシブルケーブルを適用した構造となっている。
【０００３】
【特許文献１】米国特許２００２−０１３７４７６号公報
【発明の開示】
【発明が解決しようとする課題】
【０００４】
従来のスライド式の携帯電話機は以上のように構成されているので、第１の筐体と第２の筐体とを、それらの両筐体間にスライドガイド手段を介在させて重ね合わせた筐体ユニット構造では、筐体２個分のトータル肉厚が携帯電話機全体の厚みとなり、当該携帯電話機をさらに薄型化するためには前記筐体２個分のトータル肉厚を薄くしなければならないが、前述のように２つの筐体間、すなわち、第１の筐体と第２の筐体との肉厚方向の合わせ面間にスライドガイド手段を介在させた筐体ユニット構造では、前記筐体２個分のトータル肉厚を見掛け上で薄肉化することができず、その結果、携帯電話機全体の薄型化を実現できないという課題があった。
【０００５】
この発明は上記のような課題を解決するためになされたもので、第１の筐体と第２の筐体の２つの筐体をスライド可能にユニット化したものでありながら、その２つの筐体のトータル肉厚を見掛け上で１つの筐体の肉厚にすることができ、ユニット筐体全体の薄型化を実現することができる携帯電話機を得ることを目的とする。
【課題を解決するための手段】
【０００６】
この発明に係る携帯電話機は、表面に情報表示画面を有する第１の筐体と、表面に操作キーが実装された第２の筐体とをスライド可能に組み付けて成る携帯電話機において、前記第１の筐体の内部に前記第２の筐体を引き出し可能に収納するための筐体スライド空間部を区画形成し、この筐体スライド空間部の両側部には前記第２の筐体の幅方向両端部をスライド可能に抱え込んで当該第２の筐体を前記筐体スライド空間部への収納位置と当該筐体スライド空間部からの引き出し位置とにガイドする左右一対のスライドガイド手段を設け、このスライドガイド手段を介して前記筐体スライド空間部に前記第２の筐体をスライド可能に挿入保持させたものである。
【発明の効果】
【０００７】
この発明によれば、第１の筐体の内部に区画形成された筐体スライド空間部に第２の筐体を引き出し可能に収納し、その第２の筐体の幅方向両端部を、前記筐体スライド空間部の両側部に設けた左右一対のスライドガイド手段によってスライド可能に抱え込み保持するように構成したので、前記筐体スライド空間部によって前記第２の筐体の肉厚を見掛け上で吸収することができ、これによって、前記第１の筐体と第２の筐体との２つの筐体のトータル肉厚は実質的に１つの第１の筐体だけの肉厚分に相当することとなり、しかも、前記第２の筐体の幅方向両端部を前記スライドガイド手段でスライド可能に抱え込み保持しているため、第１の筐体と第２の筐体とを両者間にスライドガイド手段を介在させて重ね合わせ状態にユニット化した従来例の携帯電話機に比べてユニット筐体全体の小型化を実現できるという効果がある。また、前述のように、第２の筐体の幅方向両端部をスライドガイド手段でスライド可能に抱え込み保持しているため、前記第２の筐体のスライド動作時における左右方向の振れを抑制することができるという効果がある。
【発明を実施するための最良の形態】
【０００８】
実施の形態１．
図１はこの発明の実施の形態１による携帯電話機の外観斜視図、図２は図１の幅方向に沿った断面図、図３は図１の長手方向に沿った断面図である。
図１に示す携帯電話機は、表面に情報表示画面（ＬＣＤ）２を有して音声を発する第１の筐体１と、表面に操作キー１１が実装された第２の筐体１０とを備え、それらの両筐体１，１０をスライド可能に組み付けてユニット化した構成となっており、前記両筐体１，１０の詳細について以下に説明する。
【０００９】
まず、第１の筐体１は全体がほぼ同一肉厚の中空直方体からなり、その内部は、図２及び図３に示すように、ＬＣＤ２及び当該ＬＣＤ２系統の回路基板３を含むＬＣＤ側ユニット部品４が収納搭載されたＬＣＤ側収納室５と、このＬＣＤ側収納室５とは隔絶されて第２の筐体１０を引き出し可能に収納する筐体スライド空間部６（特に図３参照）とに区画形成されている。その筐体スライド空間部６は、前記第１の筐体１の長手方向を前後に２分割した領域における当該筐体１の後部側領域の下部に形成されている。さらに詳しく説明すると、前記ＬＣＤ側収納室５は、図３に示すように、前記第１の筐体１における前後２分割領域の前部領域側に形成された深底前部室５ａと、この深底前部室５ａの後部に連続形成されて前記筐体スライド空間部６の上部に延びる浅底後部室５ｂとからなっている。
【００１０】
したがって、前記筐体スライド空間部６は、前記浅底後部室５ｂの下部に形成されており、その浅底後部室５ｂの底壁部と、前記深底前部室５ａの段差上後端壁部と、第１の筐体１の両側壁部１ａとで覆われた空間形状となっている。ここで、前記浅底後部室５ｂと前記筐体スライド空間部６とを合わせた領域の高さと、前記深底前部室５ａの領域の高さは、同じ高さに設定されている。また、前記第１の筐体１において、前記筐体スライド空間部６の形成領域の両側壁部１ａの下端部には、図２に示すように相対方向に屈曲する内向きフランジ１ｂが一体形成されている。したがって、前記筐体スライド空間部６は、前記内向きフランジ１ｂ間で底部が開放され、かつ後端も開放している。ここで、前記深底前部室５ａの上部と前記浅底後部室５ｂに跨ってＬＣＤ２と回路基板３が収納され、回路基板３に実装された接点コネクタ７およびその他の実装部品等が前記深底前部室５ａに収納されている。
【００１１】
次に、第２の筐体１０は、前記筐体スライド空間部６とほぼ同じ大きさに形成されているもので、前述のように表面に実装された操作キー１１のほかに、バッテリ１２と回路基板１３とを内蔵している。このような第２の筐体１０の両側下端部には、前記第１の筐体１の前記内向きフランジ１ｂ上に摺接させるコーナー切欠部１０ａ（図１および図２参照）が形成されており、このコーナー切欠部１０ａを前記内向きフランジ１ｂ上に摺接させた状態では、当該内向きフランジ１ｂの下面と前記第２の筐体１０の底面が同一面となるようにしてある。また、前記第２の筐体１０の前部には上方が開放した区画室１５（図３参照）が形成されている。この区画室１５には、前記バッテリ１２側の回路基板１３に実装された接点コネクタ１４が収納されている。
【００１２】
以上において、第１の筐体１の筐体スライド空間部６に第２の筐体１０を挿入することにより、前記筐体スライド空間部６の両側下部の内向きフランジ１ｂによって第２の筐体１０の幅方向両側部がスライド可能に抱え込み保持される。したがって、前記内向きフランジ１ｂは、前記筐体スライド空間部６の上壁部（浅底後部室５ｂと筐体スライド空間部６との境界壁部）と両側壁部１ａとの間で前記第２の筐体１０の幅方向両側部をスライド可能に抱え込み保持するスライドガイド手段となるものである。また、前記ＬＣＤ２側の回路基板３に実装された接点コネクタ７と、前記バッテリ１２側の回路基板１３に実装された接点コネクタ１４はフレキシブルケーブル８で電気的に接続されている。また、第１の筐体１における浅底後部室５ｂの底壁後部と第２の筐体１０の上壁前部には、前記筐体スライド空間部６からの第２の筐体１０の引き出し位置を規制するストッパ部９，１６（図３参照）が設けられている。
【００１３】
以上説明した実施の形態１によれば、中空直方体からなって表面に情報表示画面２を有する第１の筐体１の後側内部に、底面および後端が開放された筐体スライド空間部６を区画形成し、この筐体スライド空間部６に操作キー１１が実装された第２の筐体１０を挿入し、この第２の筐体１０の幅方向両側部を、前記筐体スライド空間部６の両側壁部１ａの下端部に屈曲形成された内向きフランジ１ｂによってスライド可能に抱え込み保持するように構成したので、第１の筐体１における見掛け上の肉厚内に第２の筐体１０の肉厚を吸収することができ、これによって、第１の筐体１と第２の筐体１０とのユニット筐体全体の肉厚が第１の筐体１の肉厚相当分となるため、前記ユニット筐体を従来例のそれよりも薄型化できるという効果がある。
【００１４】
また、前述のように筐体スライド空間部６両側下部の内向きフランジ１ｂが第２の筐体１０の幅方向両側部をスライド可能に抱え込み保持するスライドガイド手段となるため、そのスライドガイド手段として、前記筐体１，１０とは別体のスライドガイド部材を必要とせず、前記筐体スライド空間部６の両側壁部１ａの下端に内向きフランジ１ｂを屈曲形成するだけで、前記筐体スライド空間部６の両側壁部１ａに第２の筐体１０のスライドガイド機能を付与することができ、このため、部品点数を削減できてコスト低減が図れると共に、携帯電話機全体を小型化でき、かつ、第２の筐体１０のスライド操作時における振れを抑制することができるという効果がある。
【００１５】
さらには、前記筐体スライド空間部６の下部（左右の内向きフランジ１ｂ間）および後端が開放されているので、前記第２の筐体１０のスライド操作をスムーズに行うことができるという効果がある。また、第１および第２の筐体１，１０にはストッパ部９，１６が設けられていることにより、前記筐体スライド空間部６から第２の筐体１０が抜け出すようなこともないという効果がある。
【００１６】
実施の形態２．
図４はこの発明の実施の形態２による携帯電話機の幅方向断面図であり、図１から図３と同一部分には同一符号を付して重複説明は省略する。
この実施の形態２では、前記実施の形態１における筐体スライド空間部６の両側壁部１ａの下端に屈曲形成した内向きフランジ１ｂの先端に、さらに上向き突条部１ｃを屈曲形成すると共に、第２の筐体１０の幅方向両側下部にガイド溝１０ｂを形成し、このガイド溝１０ｂを前記上向き突条部１ｃにスライド可能に嵌め込み係合させたものである。
【００１７】
このように構成した実施の形態２によれば、前記実施の形態１と同様の効果に加え、第１の筐体１側の上向き突条部１ｃと第２の筐体１０側のガイド溝１０ｂとの凹凸嵌合によって、第２の筐体１０のスライド操作時における左右方向の振れをいっそう確実に抑制できるという効果がある。
【００１８】
実施の形態３．
図５はこの発明の実施の形態３による携帯電話機の幅方向断面図であり、図１から図３と同一部分には同一符号を付して重複説明は省略する。
この実施の形態３では、第１の筐体１のスライドガイド手段として、当該筐体１における筐体スライド空間部６の両側壁部１ａの内側に断面蟻溝形状をなした別部材のガイドレール１７を配置すると共に、第２の筐体１０の幅方向両側部にはガイド突条部１８を突設し、このガイド突条部１８を前記ガイドレール１７内にスライド可能に嵌合させたものである。したがって、この実施の形態３においても、第２の筐体１０の幅方向両側部がガイド突条部１８を介して前記ガイドレール１７でスライド可能に抱え込み保持されていることに変わりはない。
【００１９】
このように構成された実施の形態３によれば、第２の筐体１０の摺動性をいっそう高めることができると共に、当該筐体１０の左右方向の振れをいっそう確実に抑制することができるという効果がある。なお、前記ガイド突条部１８はガイドローラに置き換えることも可能であり、この場合、前記筐体１０の摺動性をさらに高めることができるという効果がある。
【００２０】
実施の形態４．
図６はこの発明の実施の形態４による携帯電話機を示す外観斜視図、図７は図６の幅方向に沿った断面図である。
この実施の形態４では、ＬＣＤ２側の回路基板３に実装された接点コネクタ７ａと、バッテリ１２側の回路基板１３に実装された接点コネクタ１４ａとを、第２の筐体１０の引き出し位置で電気的に接続されるように構成したものである。
【００２１】
このような構成とした実施の形態４によれば、前記両接点コネクタ７ａ，１４ａの電気的接続に別部材のフレキシブルケーブルを必要としないので、部品点数の削減およびコスト低減を図ることができるという効果がある。
【図面の簡単な説明】
【００２２】
【図１】この発明の実施の形態１による携帯電話機を示す外観斜視図である。
【図２】図１の幅方向に沿った断面図である。
【図３】図１の長手方向に沿った断面図である。
【図４】この発明の実施の形態２による携帯電話機の幅方向に沿った断面図である。
【図５】この発明の実施の形態３による携帯電話機の幅方向に沿った断面図である。
【図６】この発明の実施の形態４による携帯電話機の外観斜視図である。
【図７】図６の幅方向に沿った断面図である。
【符号の説明】
【００２３】
１  第１の筐体、１ａ  側壁部、１ｂ  内向きフランジ、１ｃ  上向き突条部、２  情報表示画面（ＬＣＤ）、３  回路基板、４  ＬＣＤ側ユニット部品、５  ＬＣＤ側収納室、５ａ  深底前部室、５ｂ  浅底後部室、６  筐体スライド空間部、７  接点コネクタ、８  フレキシブルケーブル、９  ストッパ部、１０  第２の筐体、１１  操作キー、１２  バッテリ、１３  回路基板、１４  接点コネクタ、１５  区画室。
【図１】
2007142763.tif 000003
【図２】
2007142763.tif 000004
【図３】
2007142763.tif 000005
【図４】
2007142763.tif 000006
【図５】
2007142763.tif 000007
【図６】
2007142763.tif 000008
【図７】
2007142763.tif 000009